(57)【要約】【課題】スイッチ端子がスイッチ操作部に対して安定的に保持されるスイッチ部材を提供すること。【解決手段】スイッチング操作の操作部分となるスイッチ操作部１０と、スイッチ操作部１０に設けられた端子圧入部２０に圧入されることによってスイッチ操作部１０に固定される板状圧入部４０、および板状圧入部４０に連接され、スイッチ操作部１０とともに可動される可動接点部３１を含むスイッチ端子３０と、を有してなるスイッチ部材１において、スイッチ端子３０は、板状圧入部４０の圧入側端縁面４０ａの中央位置から端子圧入部２０への圧入方向に向けて突出されてなる剛性強化突出部５０を有してなり、端子圧入部２０は、スイッチ端子３０が端子圧入部２０の中央位置に位置決めガイドされるように剛性強化突出部５０の圧入側端縁面４０ａが嵌め込まれる位置決めガイド溝２４を有してなる。【選択図】図１２
2014135223.tif 000002
【特許請求の範囲】
【請求項１】
スイッチング操作の操作部分となるスイッチ操作部と、該スイッチ操作部に設けられた端子圧入部に圧入されることによって前記スイッチ操作部に固定される板状部分となる板状圧入部、および前記板状圧入部に連接され、前記スイッチ操作部とともに可動される可動接点部を含むスイッチ端子と、を有してなるスイッチ部材において、
前記スイッチ端子は、
前記板状圧入部の圧入側端縁面の中央位置から前記端子圧入部への圧入方向に向けて突出されてなる剛性強化突出部
を有してなり、
前記端子圧入部は、
前記スイッチ端子が前記端子圧入部の中央位置に位置決めガイドされるように前記剛性強化突出部の前記圧入側端縁面が嵌め込まれる溝状をなす位置決めガイド溝
を有してなることを特徴とするスイッチ部材。
【請求項２】
前記剛性強化突出部は、
突出先端部が屈曲されてなることを特徴とする請求項１に記載のスイッチ部材。
【請求項３】
前記端子圧入部は、
前記屈曲された突出先端部の両縁面側から前記突出先端部を保持する屈曲先端保持部
を有してなることを特徴とする請求項１または２に記載のスイッチ部材。
【請求項４】
前記スイッチ端子は、
前記剛性強化突出部の両側縁面が圧入方向に平行に形成され、かつ各側縁面に連続する前記剛性強化突出部の基端両側に位置される前記圧入側端縁面が圧入方向に直交するように形成されてなり、
前記位置決めガイド溝は、
圧入方向に直交された溝開口端縁面であり、かつ前記基端両側に位置される圧入側端縁面が突き当てられる突き当て面を有し、溝内縁面が前記剛性強化突出部を間に近傍配置する間隔で対峙されてなることを特徴とする請求項１、２または３に記載のスイッチ部材。
【発明の詳細な説明】
【技術分野】
【０００１】
本発明は、スイッチング操作の操作部分となるスイッチ操作部と、スイッチ操作部とともに可動される可動接点部を含むスイッチ端子と、を有してなるスイッチ部材に関する。
【背景技術】
【０００２】
従来、自動車の車内等に設置される照明装置は、照明モードの切り替え操作を行う為のスイッチ操作部を有してなるスイッチ部材が組み込まれている。
例えば、特許文献１には、スイッチング操作の操作部分となるスイッチ操作部と、該スイッチ操作部に設けられた端子圧入部に圧入されることによってスイッチ操作部に固定される板状部分となる板状圧入部、および板状圧入部に連接され、スイッチ操作部とともに可動される可動接点部を含むスイッチ端子と、を有してなるスイッチ部材が記載されている。
【先行技術文献】
【特許文献】
【０００３】
【特許文献１】特開２０１２−２０４１７１号公報
【発明の概要】
【発明が解決しようとする課題】
【０００４】
しかしながら、特許文献１に記載されたスイッチ部材は、板状圧入部が端子圧入部の中央位置からズレた状態で端子圧入部に圧入されると、板状圧入部と端子圧入部との接触部分に過大な負荷がかかり、板状圧入部、あるいは端子圧入部が損傷され、結果的にスイッチ端子がスイッチ操作部に対して不安定な状態で保持されるおそれがあった。
【０００５】
本発明は、上記に鑑みてなされたものであって、スイッチ端子がスイッチ操作部に対して安定的に保持されるスイッチ部材を提供することを目的とする。
【課題を解決するための手段】
【０００６】
上述した課題を解決し、目的を達成するために、本発明の請求項１に係るスイッチ部材は、スイッチング操作の操作部分となるスイッチ操作部と、該スイッチ操作部に設けられた端子圧入部に圧入されることによって前記スイッチ操作部に固定される板状部分となる板状圧入部、および前記板状圧入部に連接され、前記スイッチ操作部とともに可動される可動接点部を含むスイッチ端子と、を有してなるスイッチ部材において、前記スイッチ端子は、前記板状圧入部の圧入側端縁面の中央位置から前記端子圧入部への圧入方向に向けて突出されてなる剛性強化突出部を有してなり、前記端子圧入部は、前記スイッチ端子が前記端子圧入部の中央位置に位置決めガイドされるように前記剛性強化突出部の前記圧入側端縁面が嵌め込まれる溝状をなす位置決めガイド溝を有してなることを特徴とする。
【０００７】
また、本発明の請求項２に係るスイッチ部材は、上記の発明において、前記剛性強化突出部は、突出先端部が屈曲されてなることを特徴とする。
【０００８】
また、本発明の請求項３に係るスイッチ部材は、上記の発明において、前記端子圧入部は、前記屈曲された突出先端部の両縁面側から前記突出先端部を保持する屈曲先端保持部を有してなることを特徴とする。
【０００９】
また、本発明の請求項４に係るスイッチ部材は、上記の発明において、前記スイッチ端子は、前記剛性強化突出部の両側縁面が圧入方向に平行に形成され、かつ各側縁面に連続する前記剛性強化突出部の基端両側に位置される前記圧入側端縁面が圧入方向に直交するように形成されてなり、前記位置決めガイド溝は、圧入方向に直交された溝開口端縁面であり、かつ前記基端両側に位置される圧入側端縁面が突き当てられる突き当て面を有し、溝内縁面が前記剛性強化突出部を間に近傍配置する間隔で対峙されてなることを特徴とする。
【発明の効果】
【００１０】
本発明の請求項１に係るスイッチ部材は、前記板状圧入部の圧入側端縁面の中央位置に突出されてなる前記剛性強化突出部が形成されることによって、前記板状圧入部の剛性が高められるとともに、前記スイッチ端子が前記端子圧入部に対して圧入される場合、前記板状圧入部が圧入方向先端側の前記剛性強化突出部が先だって前記位置決めガイド溝に嵌め込まれることによって、前記端子圧入部の中央位置に位置されながら嵌め込まれるので、前記スイッチ端子が前記端子圧入部に対して中央から偏った位置に位置されながら圧入されることを防ぎ、前記スイッチ操作部にスイッチ端子を圧入する場合、前記スイッチ端子、あるいは前記スイッチ操作部が損傷されることを防止することができ、結果的に、ス前記イッチ端子が前記スイッチ操作部に対して安定的に保持される。
【００１１】
本発明の請求項２に係るスイッチ部材は、前記剛性強化突出部の剛性を簡易な加工で高めることによって、さらに、前記板状圧入部の剛性を高めることができることができる。
【００１２】
本発明の請求項３に係るスイッチ部材は、前記屈曲先端保持部によって前記剛性強化突出部の側面側から前記剛性強化突出部を安定的に保持することができ、結果的に前記端子圧入部によって前記スイッチ端子をさらに安定的に保持することができる。
【００１３】
本発明の請求項４に係るスイッチ部材は、前記端子圧入部への前記スイッチ端子の位置決めガイドの構成を直線的な面を用いた簡易な構成とすることができる。
【図面の簡単な説明】
【００１４】
【図１】図１は、本発明の実施例に係るスイッチ部材が組み込まれた照明装置の分解斜視図である。
【図２】図２は、図１に示した照明装置を意匠面側から視た分解斜視図である。
【図３】図３は、スイッチ端子とバスバーとの接続部周辺の図である。
【図４】図４は、図１に示したスイッチ部材をスイッチ端子側から視た斜視図である。
【図５】図５は、スイッチ部材の弾性挟持部周辺を拡大した図である。
【図６】図６は、図１に示したスイッチ部材の断面図である。
【図７】図７は、図１に示したスイッチ部材の剛性強化突出部の突出先端部の裏側から視た図である。
【図８】図８は、スイッチ操作部を端子圧入部側から視た斜視図である。
【図９】図９は、スイッチ端子の斜視図である。
【図１０】図１０は、図９に示したスイッチ端子のＡ−Ａ線断面図である。
【図１１】図１１は、図１に示した照明装置にスイッチ部材を取り付ける前の状態である。
【図１２】図１２は、スイッチ端子をスイッチ操作部に取り付ける手順を示した図である。
【図１３】図１３は、スイッチ端子の取り付け途中の状態であり、剛性強化突出部が位置決めガイド溝に嵌め合うことによってスイッチ端子が位置決めされる様子を示した図である。
【図１４】図１４は、本発明の変形例に係るスイッチ部材の断面図である。
【発明を実施するための形態】
【００１５】
以下、図面を参照して、本発明に係るスイッチ部材の好適な実施例を詳細に説明する。
図１は、本発明の実施例に係るスイッチ部材１が組み込まれた照明装置２００の分解斜視図である。図２は、図１に示した照明装置２００を意匠面側から視た分解斜視図である。図３は、スイッチ端子３０とバスバー６０との接続部周辺の図である。図４は、図１に示したスイッチ部材１をスイッチ端子３０側から視た斜視図である。図５は、スイッチ部材１の弾性挟持部２２ａ周辺を拡大した図である。なお、図５中、（ａ）は、剛性強化突出部５０の突出先端部５１側から視た図であり、（ｂ）は、（ａ）の裏側から見た図である。図６は、図１に示したスイッチ部材１の断面図である。図７は、図１に示したスイッチ部材１の剛性強化突出部５０の突出先端部の裏側から視た図である。図８は、スイッチ操作部１０を端子圧入部２０側から視た斜視図である。図９は、スイッチ端子３０の斜視図である。図１０は、図９に示したスイッチ端子３０のＡ−Ａ線断面図である。図１１は、図１に示した照明装置２００にスイッチ部材１を取り付ける前の状態である。
本発明の実施例に係るスイッチ部材１は自動車の車内等に設置される照明装置２００に組み込まれるものであり、スイッチ部材１のスイッチ操作部１０が押圧操作されることによって、点灯消灯等の照明モードが切り替えられるようになっている。
【００１６】
以下、照明装置２００について説明する。
照明装置２００は、照明機能部１００と、ハウジング７０と、レンズ８０と、を有してなる。
照明機能部１００は、導電回路体としてのバスバー６０と、光源となるバルブ９０と、照明の動作モードに応じた切り替え操作を行う部分となるスイッチ部材１と、を有してなり、これらバスバー６０と、バルブ８０と、スイッチ部材１とが電気的に接続されることによって照明装置２００として機能されるようになっている。
【００１７】
バスバー６０は、導電性を有する金属板をプレス装置等によって所定形状に抜き打ち、折り曲げ加工を施すことによって形成される導電回路体である。このバスバー６０は、複数箇所に貫通された孔からなる固定用貫通孔６１が形成されてなり、各固定用貫通孔６１内にハウジング７０の複数箇所に設けられた溶着ピン７４が挿通され、溶着されることによってハウジング７０に対して位置決め固定されるようになっている。
【００１８】
この実施例では、バスバー６０は、図３中、矢印６０Ａ，６０Ｂ，６０Ｃで示すように、機能毎に複数設けられ、各バスバー６０にスイッチ端子３０との接続部分となる固定接点部６０ａが設けられている。バスバー６０は、一対の可動接点部３１を有するスイッチ端子３０を介して各バスバー６０の間が接続されるようになっている。また、各可動接点部３１が摺接されるバスバー６０の縁面が山と谷とが交互に形成されることによって、スイッチング操作時における節度感が得られるようになっている。
【００１９】
バルブ９０は、光源であり、スイッチ操作部１０のスイッチング操作による制御信号に基づいて点灯、消灯されるようになっている。このバルブ９０は、図２に示すように、ハウジング７０の意匠面側の２箇所に形成されたすり鉢形状部７３の底面にそれぞれ配置されている。各バルブ９０は、ハウジング７０内のバスバー６０に形成されたバルブ接続用端子６２に電気的に接続される。
【００２０】
スイッチ部材１は、スイッチング操作の操作部分となるスイッチ操作部１０と、スイッチ操作部１０とともに可動される一対の可動接点部３１を含むスイッチ端子３０と、を有してなる。この実施例では、スイッチ部材１が照明装置２００の３種類の動作モードに応じて３箇所に設けられている。
なお、各スイッチ部材１は同様な構成である為、ハウジング７０の長手方向略中央に配置されたスイッチ部材１について詳細に説明し、その他のスイッチ部材１の説明を省略する。
【００２１】
この中央に配置されたスイッチ部材１によるスイッチング操作によって切り替えられる動作モードとしては３種類の動作モードがある。この３種類の動作モードは、自動車のドアの開閉に伴って照明を点灯消灯する動作モード、あるいはドアの開閉に関係無く照明が点灯される動作モード、さらにはドアの開閉に関係無く照明が消灯される動作モードである。
【００２２】
スイッチ操作部１０は、操作者によって押圧される操作面１１ａが形成されてなる略長方体形状の押圧操作部１１と、スイッチ操作部１０が揺動可能にハウジング７０に取り付けされる部分となる支持片部１２と、スイッチ端子３０の後述する板状圧入部４０が圧入される端子圧入部２０と、を有してなる。
【００２３】
押圧操作部１１は、操作面１１ａの中央部分が緩やかに凹む曲面形状に形成され、長手方向の両端側、および中央位置に動作モードの種類を示す旨の３種類の記号がそれぞれ表示されている。操作者は、これらの記号が示された部分を押圧操作すると、スイッチ操作部１０が遥動され、スイッチ端子３０の可動接点部３１が可動されることによって照明装置２００が記号に対応した動作モードで点灯、あるいは消灯される。
【００２４】
一対の支持片部１２の各支持片部１２は、操作面１１ａに対して裏側の面の長手方向略中央位置にて短手方向で対峙するようにして片状に突設されている。
各支持片部１２は、ハウジング７０に設けられた後述する揺動軸７２ａが挿通される揺動軸孔１２ａが形成されている。スイッチ操作部１０は、この揺動軸孔１２ａを軸としてハウジング７０に対して揺動可能に取り付けらされるようになっている。
【００２５】
端子圧入部２０は、押圧操作部１１の操作面１１ａに対して裏側の面の長手方向で間隔を空けて柱状に立設されてなる一対の柱状壁部２１と、スイッチ端子３０が板状圧入部４０の厚さ方向でガタつかないように保持する厚さ方向保持部２２と、スイッチ端子３０が板状圧入部４０の幅方向でガタつかないように保持する幅方向保持部２３と、端子圧入部２０の中央位置に位置決めガイドされるように後述する剛性強化突出部５０が嵌め込まれる溝状をなす位置決めガイド溝２４と、後述する剛性強化突出部５０の屈曲された突出先端部５１の両縁面側から突出先端部５１を保持する屈曲先端保持部２５と、を有してなる。
【００２６】
一対の柱状壁部２１は、スイッチ端子３０の圧入方向に沿って延び、厚さ方向保持部２２と、屈曲先端保持部２５と、が設けられる柱状の壁である。
【００２７】
厚さ方向保持部２２は、各柱状壁部２１の先端部内側から互いに向き合うように突設された一対の弾性挟持部２２ａを有してなる。各弾性挟持部２２ａは板状圧入部４０の表裏を弾性的に挟み込むように設けられた一対の弾性挟持片２２ｂからなる。
各弾性挟持片２２ｂには係止凸部２２ｃが設けられており、この係止凸部２２ｃが板状圧入部４０の側部に設けられた係止凹部４０ｂに係合されることによって板状圧入部４０が厚さ方向保持部２２に確実に係止されるようになっている。
【００２８】
幅方向保持部２３は、押圧操作部１１の操作面１１ａに対して裏側の面の長手方向で間隔を空けて立設されてなる一対の弾性アーム部２３ａを有してなる。
一対の弾性アーム部２３ａは板状圧入部４０の幅方向両端側から板状圧入部４０を弾性的に挟み込むように設けられたものである。
各弾性アーム部２３ａは、先端部に係止凸部２３ｂが設けられており、この係止凸部２３ｂが板状圧入部４０の幅方向両端縁面に設けられた端縁面係止凹部４０ｃに係止されることによって板状圧入部４０が幅方向保持部２３に確実に係止されるようになっている。
【００２９】
位置決めガイド溝２４は、圧入方向に直交された溝開口端縁面であり、かつ剛性強化突出部５０の基端両側に位置される圧入側端縁面４０ａが突き当てられる突き当て面２６と、溝内縁面２４ａが後述する剛性強化突出部５０を間に近傍配置する間隔で対峙されてなる。
【００３０】
また、位置決めガイド溝２４の溝内縁面２４ａは、図５に示すように、溝開口端２４ｂに向けて溝内縁面２４ａの間隔を拡大するように曲面形状に面取りされてなるガイド曲面２７が形成されることよって剛性強化突出部５０が位置決めガイド溝２４に嵌め込み易いようになっている。
【００３１】
屈曲先端保持部２５は、図４に示すように、各柱状壁部２１の内側から互いに向き合うように突設された一対の突出ガイド片部２５ａを有してなる。各突出ガイド片部２５ａの縁面が屈曲されて剛性強化突出部５０の厚さ方向に迫出された突出先端部５１の縁面の近傍に配置されることによって、スイッチ端子３０が板状圧入部４０の幅方向でガタつかないように保持されるようになっている。
【００３２】
スイッチ端子３０は、板状圧入部４０の圧入側端縁面４０ａの中央位置から端子圧入部２０への圧入方向に向けて突出されてなる剛性強化突出部５０を有してなる。
このように剛性強化突出部５０を設けることによって、板状圧入部４０の剛性が高められる。このため、図１０に示すように、板状圧入部４０に対して図中矢印Ａに示すような曲げ荷重が負荷された場合であっても剛性強化突出部５０によって板状圧入部４０が曲げ変形されることが防止されるようになっている。
しかも、スイッチ端子３０が端子圧入部２０に対して圧入される場合、板状圧入部４０の圧入方向先端側に位置する剛性強化突出部５０が先だって位置決めガイド溝２４に嵌め込み開始されることによって、スイッチ端子３０が端子圧入部２０の中央位置に位置されながら板状圧入部４０に圧入されるようになっている。
【００３３】
スイッチ端子３０は、より具体的には、剛性強化突出部５０の両側縁面５０ａが圧入方向に平行に形成され、かつ各側縁面５０ａに連続する剛性強化突出部５０の基端両側の圧入側端縁面４０ａが圧入方向に直交するように形成されてなる。
また、剛性強化突出部５０は、突出先端部５１が圧入方向に対して略直交する方向に向けて屈曲されている。これにより剛性強化突出部５０の剛性が簡易な加工で高められるとともに、板状圧入部４０の剛性が高められるようになっている。
【００３４】
ハウジング７０は、内部に照明機能部１００が組み付けされるとともに、意匠面側にレンズが組み付けられ、レンズ８０と合わせて照明装置２００の外郭を構成する樹脂部材である。
このハウジング７０は、レンズ８０が取り付けされる側の面がレンズ８０の形状に対応した外形矩形状をなし、外周縁に沿ってレンズ８０に設けられた各係止片８１の係止孔８１ａに係合される係止突起７１が設けられている。
【００３５】
また、ハウジング７０は長手方向に沿った３箇所に各スイッチ部材１が揺動可能に取り付けされるスイッチ部材取付部７２が設けられている。各スイッチ部材取付部７２の構成は同様である為、ここでは長手方向中央位置のスイッチ部材取付部７２についてより詳細に説明する。
スイッチ部材取付部７２は、スイッチ操作部１０に設けられた各揺動軸孔１２ａに挿通される一対の揺動軸７２ａが設けられている。各揺動軸７２ａがスイッチ操作部１０の揺動軸孔１２ａに挿通されることによって、スイッチ操作部１０がスイッチ部材取付部７２に揺動可能に取り付けられるようになっている。
【００３６】
レンズ８０は、外形矩形状の樹脂部材であり、照明装置２００の意匠面を構成するものである。このレンズ８０は、バルブ９０から発せられた光を通過させるレンズ機能を有するものであり、長手方向に沿った３箇所にスイッチ操作部１０が意匠面側に露出されるように開口された操作開口部８２が形成されている。
金属クリップ９１は、ステンレス製の弾性金属板がＵ字状に屈曲されてなり、照明装置２００を車両に固定するための固定部材として機能される。
【００３７】
このような照明装置２００は、スイッチ操作部１０のスイッチング操作によって、スイッチ操作部１０がハウジング７０内で揺動され、可動接点部３１が節度感を得られながらバスバー６０に形成された固定接点部６０ａを切り替えて接続されることによって、動作モードが切り替えられるようになっている。
【００３８】
ここで図１２および図１３を用いて、スイッチ端子３０をスイッチ操作部１０に取り付ける手順について説明する。図１２は、スイッチ端子３０をスイッチ操作部１０に取り付ける手順を示した図である。図１３は、スイッチ端子３０の取り付け途中の状態であり、剛性強化突出部５０が位置決めガイド溝２４に嵌め合うことによってスイッチ端子３０が位置決めされる様子を示した図である。
なお、図１２の左図は、スイッチ端子３０およびスイッチ操作部１０の斜視図を示し、右図は、左図に示すスイッチ端子３０およびスイッチ操作部１０の断面図を示している。
【００３９】
まず、作業者は、スイッチ端子３０の圧入側端縁面４０ａをスイッチ操作部１０の端子圧入部２０に向けながら、スイッチ端子３０を圧入方向に移動させる（図１２（ａ）参照）。この圧入方向でのスイッチ端子３０の移動途中で、スイッチ端子３０が端子圧入部２０の中央位置Ｃに対して偏った位置で移動された場合（図１３（ａ）参照）、剛性強化突出部５０が位置決めガイド溝２４の溝内縁面２４ａに摺接されることによって、スイッチ端子３０が端子圧入部２０の中央位置に位置調整されながら圧入方向に移動される（図１３（ｂ）参照）。
【００４０】
その後、作業者は、スイッチ端子３０とスイッチ操作部１０とが各係止部２２ｃ，２３ｂ，４０ｂ，４０ｃによって係止される位置までスイッチ端子３０を圧入方向に移動させることによって、この取付け作業を完了させる（図１２（ｂ），図１３（ｃ）参照）。
【００４１】
本発明の実施例に係るスイッチ部材１は、板状圧入部４０の圧入側端縁面４０ａの中央位置に突出されてなる剛性強化突出部５０が形成されることによって、板状圧入部４０の剛性が高められるとともに、スイッチ端子３０が端子圧入部２０に対して圧入される場合、板状圧入部４０が圧入方向先端側の剛性強化突出部５０が先だって位置決めガイド溝２４に嵌め込まれることによって、端子圧入部２０の中央位置に位置されながら嵌め込まれるので、スイッチ端子３０が端子圧入部２０に対して中央から偏った位置に位置されながら圧入されることを防ぐことができ、スイッチ操作部１０にスイッチ端子３０を圧入する場合、スイッチ端子３０、あるいはスイッチ操作部１０が損傷されることを防止することができ、結果的に、スイッチ端子３０がスイッチ操作部１０に対して安定的に保持される。
【００４２】
また、本発明の実施例に係るスイッチ部材１は、剛性強化突出部５０の剛性を簡易な加工で高めることによって、さらに、板状圧入部４０の剛性を高めることができることができる。
【００４３】
また、本発明の実施例に係るスイッチ部材１は、屈曲先端保持部２５によって剛性強化突出部５０の側面側から剛性強化突出部５０を安定的に保持することができ、結果的に端子圧入部２０によってスイッチ端子３０をさらに安定的に保持することができる。
【００４４】
また、本発明の実施例に係るスイッチ部材１は、端子圧入部２０へのスイッチ端子３０の位置決めガイドの構成を直線的な面を用いた簡易な構成とすることができる。
【００４５】
（変形例）
次に、図１４を用いて本発明の実施例に係るスイッチ部材１の変形例について説明する。図１４は、本発明の変形例に係るスイッチ部材２の断面図である。
この変形例のスイッチ部材２は、剛性強化突出部５０の基端両側の圧入側端縁面３００ａが圧入方向に直交する方向に対して斜めに傾斜され、かつ突き当て面４００が圧入方向に直交する方向に対して斜めに傾斜されてなる点で実施例のスイッチ部材１と異なる。
なお、その他の構成は実施例と同様であり、実施例と同一構成部分には同一符号を付している。
【００４６】
この変形例のスイッチ部材２は実施例と同様に、板状圧入部３００の圧入側端縁面３００ａの中央位置に突出されてなる剛性強化突出部５０が形成されることによって、板状圧入部４０の剛性が高められるとともに、スイッチ端子３０が端子圧入部２０に対して圧入される場合、板状圧入部４０が圧入方向先端側の剛性強化突出部５０が先だって位置決めガイド溝２４に嵌め込まれることによって、端子圧入部２０の中央位置に位置されながら嵌め込まれるので、スイッチ端子３０が端子圧入部２０に対して中央から偏った位置に位置されながら圧入されることを防ぐことができ、スイッチ操作部１０にスイッチ端子３０を圧入する場合、スイッチ端子３０、あるいはスイッチ操作部１０が損傷されることを防止することができ、結果的に、スイッチ端子３０がスイッチ操作部１０に対して安定的に保持される。
【００４７】
なお、本発明の実施例に係るスイッチ部材１，２は、剛性強化突出部５０が屈曲されてなるものを例示したが、これに限らず、剛性強化突出部５０が板状圧入部４０，３００の圧入側端縁面４０ａ，３００ａの中央位置から端子圧入部２０への圧入方向に向けて突出されてなればよい。すなわち、剛性強化突出部５０が屈曲されないものであっても構わない。
【００４８】
また、本発明の実施例に係るスイッチ部材１，２は、一対の可動接点部３１を有するものを例示したが、これに限らず、少なくとも一つの可動接点部を有していればよい。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１，２      スイッチ部材
１０        スイッチ操作部
１１        押圧操作部
１１ａ      操作面
１２        支持片部
１２ａ      揺動軸孔
２０        端子圧入部
２１        柱状壁部
２２        厚さ方向保持部
２２ａ      弾性挟持部
２２ｂ      弾性挟持片
２２ｃ      係止凸部
２３        幅方向保持部
２３ａ      弾性アーム部
２３ｂ      係止凸部
２４        位置決めガイド溝
２４ａ      溝内縁面
２４ｂ      溝開口端
２５        屈曲先端保持部
２５ａ      突出ガイド片部
２６，４００  突き当て面
２７        ガイド曲面
３０        スイッチ端子
３１        可動接点部
４０，３００  板状圧入部
４０ａ，３００ａ  圧入側端縁面
４０ｂ      係止凹部
４０ｃ      端縁面係止凹部
５０  剛性強化突出部
５０ａ      側縁面
５１        突出先端部
６０，６０Ａ，６０Ｂ，６０Ｃ  バスバー
６０ａ      固定接点部
６１        固定用貫通孔
６２        バルブ接続用端子
７０        ハウジング
７１        係止突起
７２        スイッチ部材取付部
７２ａ      揺動軸
７３        すり鉢形状部
７４        溶着ピン
８０        レンズ
８１        係止片
８１ａ      係止孔
８２        操作開口部
９０        バルブ
９１        金属クリップ
１００      照明機能部
２００      照明装置
【図１】
2014135223.tif 000003
【図２】
2014135223.tif 000004
【図３】
2014135223.tif 000005
【図４】
2014135223.tif 000006
【図５】
2014135223.tif 000007
【図６】
2014135223.tif 000008
【図７】
2014135223.tif 000009
【図８】
2014135223.tif 000010
【図９】
2014135223.tif 000011
【図１０】
2014135223.tif 000012
【図１１】
2014135223.tif 000013
【図１２】
2014135223.tif 000014
【図１３】
2014135223.tif 000015
【図１４】
2014135223.tif 000016